(57)【要約】【課題】  合成画像再生データ又は合成画像再生データを構成している部品画像データを容易に選択して所定の処理を実行できる画像処理装置、方法及びプログラムを提供する。【解決手段】選択可能な対象が異なる複数の画像選択モードのいずれかを選択するモード選択手段と、関連付けられている複数の部品画像データで構成される合成画像再生データを記憶している記憶手段から前記合成画像再生データ又は前記部品画像データを選択する画像選択手段と、前記画像選択手段で選択されたデータに対して所定の処理を実行する処理手段とを備え、前記画像選択手段は、前記モード選択手段で選択された画像選択モードで選択可能な対象の中からデータを選択する。【選択図】    図１
2005039785.tif 000002
【特許請求の範囲】
【請求項１】
選択可能な対象が異なる複数の画像選択モードのいずれかを選択するモード選択手段と、
関連付けられている複数の部品画像データで構成される合成画像再生データを記憶している記憶手段から前記合成画像再生データ又は前記部品画像データを選択する画像選択手段と、
前記画像選択手段で選択されたデータに対して所定の処理を実行する処理手段とを備え、
前記画像選択手段は、前記モード選択手段で選択された画像選択モードで選択可能な対象の中からデータを選択することを特徴とする画像処理装置。
【請求項２】
前記合成画像再生データは属性の異なる複数の部品画像データで構成され、
前記モード選択手段は、所定の属性を有する部品画像データを選択対象とする第一の画像選択モード、又は前記第一の画像選択モードで選択される部品画像データとは異なる属性を有する部品画像データを選択対象とする第二の画像選択モードを選択することを特徴とする請求項１に記載の画像処理装置。
【請求項３】
前記モード選択手段は、合成画像再生データを選択対象とする第三の画像選択モード、又は部品画像データを選択対象とする第四の画像選択モードを選択することを特徴とする請求項１に記載の画像処理装置。
【請求項４】
前記第四の画像選択モードは、前記第三の画像選択モードで選択された合成画像再生データを構成する部品画像データを選択対象とすることを特徴とする請求項３に記載の画像処理装置。
【請求項５】
前記モード選択手段は、ユーザによる画像選択モードの指定を受け付け、指定された画像選択モードを選択することを特徴とする請求項１、２又は３に記載の画像処理装置。
【請求項６】
前記画像選択手段は、前記合成画像再生データを選択するための選択対象として前記合成画像再生データを特定するための合成画像特定情報を画面表示することを特徴とする請求項１〜５のいずれか一項に記載の画像処理装置。
【請求項７】
前記合成画像特定情報は、前記合成画像再生データに基づいて再生される合成画像の概要を表す概要画像であることを特徴とする請求項６に記載の画像処理装置。
【請求項８】
前記処理手段は、前記画像選択手段で合成画像再生データが選択されると、選択された合成画像再生データに基づいて合成画像を概要画像より高解像度で表示する処理を実行することを特徴とする請求項１〜７のいずれか一項に記載の画像処理装置。
【請求項９】
前記処理手段は、前記画像選択手段で合成画像再生データが選択されると、選択された合成画像再生データに基づいて合成画像を印刷する処理を実行することを特徴とする請求項１〜７のいずれか一項に記載の画像処理装置。
【請求項１０】
前記画像選択手段は、前記部品画像データを選択するための選択対象として前記部品画像データを特定するための部品画像特定情報を画面表示することを特徴とする請求項１〜９のいずれか一項に記載の画像処理装置。
【請求項１１】
前記部品画像特定情報は、部品画像の概要を表す概要画像であることを特徴とする請求項１０に記載の画像処理装置。
【請求項１２】
前記処理手段は、前記画像選択手段で部品画像データが選択されると、選択された部品画像データに対する操作の指定を受け付け、選択された部品画像データに対して指定された操作を実行することを特徴とする請求項１〜１１のいずれか一項に記載の画像処理装置。
【請求項１３】
前記処理手段は、前記画像選択手段で部品画像データが選択されると、選択された部品画像データに基づいて部品画像を概要画像より高解像度で表示する処理を実行することを特徴とする請求項１〜１１のいずれか一項に記載の画像処理装置。
【請求項１４】
一つの合成画像再生データを構成する一つ以上の部品画像データは、一つのファイルに格納されていることを特徴とする請求項１〜１３のいずれか一項に記載の記載の画像処理装置。
【請求項１５】
選択可能な対象が異なる複数の画像選択モードのいずれかを選択するモード選択段階と、
関連付けられている複数の部品画像データで構成される合成画像再生データを記憶している記憶手段から前記合成画像再生データ又は前記部品画像データを選択する画像選択段階と、
前記画像選択段階で選択されたデータに対して所定の処理を実行する処理段階とを含み、
前記画像選択段階において、前記モード選択段階で選択された画像選択モードで選択可能な対象の中からデータを選択することを特徴とする画像処理方法。
【請求項１６】
選択可能な対象が異なる複数の画像選択モードのいずれかを選択するモード選択手段と、
関連付けられている複数の部品画像データで構成される合成画像再生データを記憶している記憶手段から前記合成画像再生データ又は前記部品画像データを選択する画像選択手段と、
前記画像選択手段で選択されたデータに対して所定の処理を実行する処理手段としてコンピュータを機能させ、
前記画像選択手段は、前記モード選択手段で選択された画像選択モードで選択可能な対象の中からデータを選択することを特徴とする画像処理プログラム。
【発明の詳細な説明】
【技術分野】
【０００１】
本発明は画像処理装置、方法及びプログラムに関する。
【背景技術】
【０００２】
ディジタルカメラで撮影した画像やイメージスキャナで読み取った画像を別の画像と合成して一つの合成画像を再生する画像編集装置（画像処理装置）が知られている（例えば特許文献１参照。）。特許文献１に記載の画像処理装置は、合成画像を生成して再生した後、生成した合成画像を一つの合成画像データとして記憶している。
【０００３】
また、同様に画像を別の画像と合成して一つの合成画像を再生する画像出力装置（画像処理装置）も知られている（例えば特許文献２参照。）。特許文献２に記載の画像処理装置は、背景キーが操作されると記憶されている背景画像を一覧表示して背景画像の選択を受け付け、前景キーが操作されると前景画像を一覧表示して前景画像の選択を受け付ける。選択を受け付けると、選択された背景画像に選択された前景画像を合成して表示する。特許文献２に記載の画像処理装置では、合成画像が表示されている状態で背景キーを操作することにより前景画像に影響を与えることなく背景画像だけを変更することもできる。
【０００４】
特許文献１や特許文献２に記載の画像処理装置を用いると、例えば誕生日に関するイラストを表す背景画像（部品画像）の一部の領域に誕生日を迎える人物を撮影した前景画像（部品画像）を合成し、別の領域に誕生日を祝うメッセージを表す前景画像（部品画像）を合成して表示するなどのことができる。
選択した複数の部品画像を合成して合成画像を再生する場合、再生した合成画像を記憶しておくと、後でまたその合成画像を再生したいとき部品画像を選択し直す手間が不要になるため便利である。この場合、複数の部品画像を合成して生成した一つの合成画像データを記憶するのではなく、複数の部品画像を関連付けて記憶するようにすると、一部の部品画像を別の用途に流用できるので便利である。具体的には例えば、関連付けられている複数の部品画像データを知人に配布するとする。この場合、配布された知人はそれら部品画像データから合成画像を再生できることに加え、例えば誕生日に関するイラストを表す部品画像に別の人物を撮影した部品画像を合成して表示したり、人物を撮影した部品画像だけを印刷したりするなどのように、合成画像再生データを構成している部品画像データを当該合成画像の再生以外の用途に流用できる。
【０００５】
【特許文献１】再表９６／２４９０９号公報
【特許文献２】特開平８−７７３３７号公報
【発明の開示】
【発明が解決しようとする課題】
【０００６】
再生した合成画像を見てその合成画像を構成している部品画像データを別の用途に流用したいと考えたとする。この場合、ユーザはファイル操作用のプログラムを別途起動して操作する必要がある。しかしながら、ユーザはその部品画像データのファイル名を知っているとは限らず、また、そのファイルを格納したフォルダを記憶しているとも限らない。このためユーザはファイルを検索しなければならず、流用に手間がかかるという問題がある。
【０００７】
本発明は、かかる問題に鑑みて創作されたものであって、合成画像再生データ又は合成画像再生データを構成している部品画像データを容易に選択して所定の処理を実行できる画像処理装置、方法及びプログラムを提供することを目的とする。
【課題を解決するための手段】
【０００８】
上記目的を達成するため、本発明に係る画像処理装置は、選択可能な対象が異なる複数の画像選択モードのいずれかを選択するモード選択手段と、関連付けられている複数の部品画像データで構成される合成画像再生データを記憶している記憶手段から前記合成画像再生データ又は前記部品画像データを選択する画像選択手段と、前記画像選択手段で選択されたデータに対して所定の処理を実行する処理手段とを備え、前記画像選択手段は、前記モード選択手段で選択された画像選択モードで選択可能な対象の中からデータを選択する。例えば合成画像再生データを選択対象とする画像選択モードと、合成画像再生データを構成している部品画像データを選択対象とする画像選択モードとを用意すると、合成画像再生データのみでなく合成画像再生データを構成している部品画像データも処理の対象として選択できる。また、例えばそれぞれ互いに異なる属性の部品画像データを選択対象とする複数の画像選択モードを用意すると、合成画像再生データを構成している部品画像データの中から特定の属性を有する部品画像データを処理対象として容易に選択できる。このようにこの画像処理装置によると、選択可能な対象が異なる複数の画像選択モードのいずれかを選択できるため、処理したい対象に応じた画像選択モードを選択することにより、合成画像再生データ又は合成画像再生データを構成している部品画像データの中から目的の合成画像再生データ又は部品画像データを容易に選択して処理を実行できる。
【０００９】
さらに本発明に係る画像処理装置では、前記合成画像再生データは属性の異なる複数の部品画像データで構成され、前記モード選択手段は、所定の属性を有する部品画像データを選択対象とする第一の画像選択モード、又は前記第一の画像選択モードで選択される部品画像データとは異なる属性を有する部品画像データを選択対象とする第二の画像選択モードを選択する。この画像処理装置によると、ある属性の部品画像データの中から特定の部品画像データを選択する場合、選択しようとしている部品画像データの属性に応じた画像選択モードを選択することにより、当該属性を有する部品画像データのみが選択可能な対象となるため選択が容易になる。
【００１０】
さらに本発明に係る画像処理装置では、前記モード選択手段は、合成画像再生データを選択対象とする第三の画像選択モード、又は部品画像データを選択対象とする第四の画像選択モードを選択する。この画像処理装置によると、合成画像再生データを選択して所定の処理を実行でき、且つ合成画像再生データを構成している部品画像データを個別に選択して所定の処理を実行できる。
【００１１】
さらに本発明に係る画像処理装置では、前記第四の画像選択モードは、前記第三の画像選択モードで選択された合成画像再生データを構成する部品画像データを選択対象とする。この画像処理装置によると、始めに合成画像再生データを選択し、次に当該選択した合成画像再生データを構成している部品画像データを選択するという操作の流れになる。すなわち、大きな単位から小さな単位に階層的に選択が進むためユーザにとって操作が判り易い。
【００１２】
さらに本発明に係る画像処理装置では、前記モード選択手段は、ユーザによる画像選択モードの指定を受け付け、指定された画像選択モードを選択する。この画像処理装置によると、どの画像選択モードを選択するかをユーザが自由に指定できる。
さらに本発明に係る画像処理装置では、前記画像選択手段は、前記合成画像再生データを選択するための選択対象として前記合成画像再生データを特定するための合成画像特定情報を画面表示する。この画像処理装置によると、合成画像特定情報が画面表示されるためユーザは画面を見ながら選択でき、合成画像再生データの選択が容易になる。
【００１３】
さらに本発明に係る画像処理装置では、前記合成画像特定情報は、前記合成画像再生データに基づいて再生される合成画像の概要を表す概要画像である。この画像処理装置によると、合成画像の概要を表す概要画像を表示することにより合成画像再生データの選択が更に容易になる。
さらに本発明に係る画像処理装置では、前記処理手段は、前記画像選択手段で合成画像再生データが選択されると、選択された合成画像再生データに基づいて合成画像を概要画像より高解像度で表示する処理を実行する。この画像処理装置によると、合成画像を高解像度で見ることができる。
【００１４】
さらに本発明に係る画像処理装置では、前記処理手段は、前記画像選択手段で合成画像再生データが選択されると、選択された合成画像再生データに基づいて合成画像を印刷する処理を実行する。この画像処理装置によると、合成画像を印刷できる。
さらに本発明に係る画像処理装置では、前記画像選択手段は、前記部品画像データを選択するための選択対象として前記部品画像データを特定するための部品画像特定情報を画面表示する。この画像処理装置によると、部品画像特定情報が画面表示されるためユーザは画面を見ながら選択でき、部品画像データの選択が容易になる。
【００１５】
さらに本発明に係る画像処理装置では、前記部品画像特定情報は、部品画像の概要を表す概要画像である。この画像処理装置によると、部品画像の概要を表す概要画像を表示することにより部品画像データの選択が更に容易になる。
さらに本発明に係る画像処理装置では、前記処理手段は、前記画像選択手段で部品画像データが選択されると、選択された部品画像データに対する操作の指定を受け付け、選択された部品画像データに対して指定された操作を実行する。この画像処理装置によると、例えば部品画像をコピーする操作を指定することにより、部品画像データをコピーして流用できる。
【００１６】
さらに本発明に係る画像処理装置では、前記処理手段は、前記画像選択手段で部品画像データが選択されると、選択された部品画像データに基づいて部品画像を概要画像より高解像度で表示する処理を実行する。この画像処理装置によると、部品画像を高解像度で見ることができる。
さらに本発明に係る画像処理装置では、一つの合成画像再生データを構成する一つ以上の部品画像データは、一つのファイルに格納されている。この画像処理装置によると、一つ以上の部品画像データが一つのファイルに格納されるため、合成画像再生データの可搬性が向上する。
【００１７】
上記目的を達成するため、本発明に係る画像処理方法は、選択可能な対象が異なる複数の画像選択モードのいずれかを選択するモード選択段階と、関連付けられている複数の部品画像データで構成される合成画像再生データを記憶している記憶手段から前記合成画像再生データ又は前記部品画像データを選択する画像選択段階と、前記画像選択段階で選択されたデータに対して所定の処理を実行する処理段階とを含み、前記画像選択段階において、前記モード選択段階で選択された画像選択モードで選択可能な対象の中からデータを選択する。この画像処理方法によると、合成画像再生データ又は合成画像再生データを構成している部品画像データの中から目的の合成画像再生データ又は部品画像データを容易に選択して処理を実行できる。
【００１８】
上記目的を達成するため、本発明に係る画像処理プログラムは、選択可能な対象が異なる複数の画像選択モードのいずれかを選択するモード選択手段と、関連付けられている複数の部品画像データで構成される合成画像再生データを記憶している記憶手段から前記合成画像再生データ又は前記部品画像データを選択する画像選択手段と、前記画像選択手段で選択されたデータに対して所定の処理を実行する処理手段としてコンピュータを機能させ、前記画像選択手段は、前記モード選択手段で選択された画像選択モードで選択可能な対象の中からデータを選択する。この画像処理プログラムによると、合成画像再生データ又は合成画像再生データを構成している部品画像データの中から目的の合成画像再生データ又は部品画像データを容易に選択して処理を実行できる。
【００１９】
尚、本発明に備わる複数の手段の各機能は、構成自体で機能が特定されるハードウェア資源、プログラムにより機能が特定されるハードウェア資源、又はそれらの組み合わせにより実現される。また、これら複数の手段の各機能は、各々が物理的に互いに独立したハードウェア資源で実現されるものに限定されない。
【発明を実施するための最良の形態】
【００２０】
以下、本発明の実施の形態を複数の実施例に基づいて説明する。
（第一実施例）
第一実施例では、関連付けられている複数の部品画像データで構成される合成画像再生データを選択対象とする第三の画像選択モード、又は合成画像再生データを構成している個々の部品画像データを選択対象とする第四の画像選択モードのうちいずれかの画像選択モードをユーザが指定する場合を例に説明する。
【００２１】
図２は、本発明の第一実施例に係る画像処理装置のハードウェア構成を示すブロック図である。画像処理装置はパーソナルコンピュータ（ＰＣ）１とプリンタ２とで構成されている。ＰＣ１は、ＣＰＵ１１、ＲＯＭ１２、ワークメモリ１３、操作部１４、表示部１５、外部記憶部１６、及びインタフェース部１７を備え、これらはバス１８で相互に接続されている。ＣＰＵ１１はＲＯＭ１２や外部記憶部１６に記憶されているプログラムを実行してＰＣ１の全体を制御する。また、ＣＰＵ１１は後述する画像処理プログラムを実行することでモード選択手段、画像選択手段、及び処理手段としても機能する。ＲＯＭ１２は各種のプログラムやデータを予め記憶しているメモリである。ワークメモリ１３は各種のプログラムやデータを一時的に記憶するメモリである。操作部１４はマウスやキーボードなどで構成され、モード選択手段、画像選択手段、及び処理手段として用いられる。表示部１５はＣＲＴやＬＣＤ（Liquid Crystal Display）などで構成される。表示部１５はモード選択手段、画像選択手段、及び処理手段として用いられ、画像選択モードや画像特定情報の選択、操作の指定、操作の指示などを行うための各種の画面を表示する。また、表示部１５は処理手段としても用いられ、合成画像再生データに基づいて生成される合成画像や部品画像を表示する。記憶手段としての外部記憶部１６はハードディスクやハードディスクコントローラなどで構成され、オペレーティングシステム（ＯＳ）、画像処理プログラム、関連付けられている複数の部品画像データで構成される一つ以上の合成画像再生データなどを記憶している。これらのプログラムや各種のデータは、所定のサーバからネットワークを介してダウンロードして入力してもよいし、リムーバブルメモリ等のコンピュータ読み取り可能な記憶媒体から読み出して入力してもよい。インタフェース部１７はＵＳＢやＢｌｕｅｔｏｏｔｈなどの通信規格に準拠して構成され、プリンタ２に接続されている。プリンタ２は、ＰＣ１から出力される印刷データに基づいて例えばインクジェット方式やレーザー方式などにより合成画像又は部品画像を印刷用紙に印刷する。
【００２２】
なお、本実施例では画像処理装置としてのＰＣ１が記憶手段としての外部記憶部１６を備える場合を例に説明するが、記憶手段は画像処理装置の必須構成要素ではない。例えばＰＣ１はネットワークに接続されている外部記憶装置をネットワーク経由で記憶手段として利用してもよい。この場合、当該外部記憶装置はＰＣ１を構成するものではない。なお、この場合は当該外部記憶装置に記憶されている合成画像再生データや部品画像データを選択したり、選択したデータを読み込んで処理したりするために、画像選択手段及び処理手段の一部としてネットワークインタフェースを備える必要がある。また、記憶手段は脱着可能な記憶媒体でもよい。この場合は記憶媒体からデータを読み込むための装置が必要である。
【００２３】
次に、合成画像再生データについて説明する。
図３は、合成画像再生データを示す模式図である。本実施例の合成画像再生データ２０は、部品画像データとしての背景画像ファイル２１及び部品画像データとしての印刷対象画像ファイル２７に加え、レイアウト定義ファイル２２ａ、２２ｂ及び２２ｃ、並びにインデックスファイル２３、描画装置用サムネイル２４、カメラ用サムネイル２５、αチャンネル２６、及び関連付けファイル２９で構成されている。図示するように合成画像再生データは、合成画像再生データを構成している複数のファイルが同一のフォルダに格納されているのではなく、複数のフォルダに分散して格納されている。始めに背景画像ファイル及び印刷対象画像ファイルについて説明する。
【００２４】
拡張子が「.eff」のファイル２１は部品画像データとしての背景画像ファイルである。背景画像ファイルが表す背景画像は、印刷対象画像ファイル２７が表す印刷対象画像の背景としてあるいは前景として合成するための画像である。尚、本実施例では背景として用いる画像も前景として用いる画像も含めて背景画像というものとする。背景画像ファイルは４チャンネルのＪＰＥＧ形式のファイルである。通常のＪＰＥＧ形式のファイルはＹ（輝度成分）、Ｃｂ（青み成分）、及びＣｒ（赤み成分）の３チャンネルで構成されるが、背景画像ファイルはそれに加えてαチャンネルを更に備えている。αチャンネルは、背景画像を重畳合成するときに、背景画像のどの画素を合成画像に反映させるかを画素毎に定義したデータ（αチャンネルデータ）を格納するためのチャンネルである。αチャンネルを用いると背景画像を任意の形状で合成することができ、レイアウトの自由度を高めることができる。図示する例の合成画像再生データ２０には当該合成画像再生データ２０を構成している背景画像ファイル２１は一つしかないが、複数の背景画像ファイルで構成することも可能である。
【００２５】
拡張子が「.jpg」のファイル２７は部品画像データとしての印刷対象画像ファイルである。印刷対象画像ファイルは背景画像ファイルと異なり通常のＪＰＥＧ形式のファイルと同様に３チャンネルで構成される。例えばディジタルカメラの多くは３チャンネルのＪＰＥＧ形式のファイルを作成することができるため、ユーザはディジタルカメラでＪＰＥＧ形式の画像を撮影して印刷対象画像ファイルとすることができる。ユーザは合成したい印刷対象画像ファイルを合成画像再生データの一つとして関連付けることで、同じ背景画像ファイルを異なる印刷対象画像ファイルと合成することができる。尚、関連付けについては後述する。図示する例の合成画像再生データ２０には当該合成画像再生データ２０を構成している印刷対象画像ファイル２７は一つしかないが、複数の印刷対象画像ファイルで構成することも可能である。尚、印刷対象画像のファイル形式は例えばＢＭＰ、ＴＩＦＦ、ＰＮＧ形式などであってもよい。
【００２６】
尚、本実施例では合成画像再生データを構成する部品画像データとして背景画像ファイル及び印刷対象画像ファイルを例に説明するが、いずれか一方のみであってもよい。例えば、印刷対象画像ファイルのみであってもよい。
次に、レイアウト定義ファイルについて説明する。尚、以降の説明では、背景画像ファイル及び印刷対象画像ファイルを総称して部品画像ファイルというものとする。
【００２７】
拡張子が「.usd」のファイル２２ａ、２２ｂ及び２２ｃはレイアウト定義ファイルである。レイアウト定義ファイルは、背景画像ファイル２１が表す背景画像及び印刷対象画像ファイル２７が表す印刷対象画像をどのように配置して合成画像を再生するか、すなわち部品画像のレイアウトを定義するファイルである。また、レイアウト定義ファイルは、一つ以上の部品画像ファイルを関連付けているファイルでもある。合成画像再生データ２０には用紙サイズが互いに異なり互いに相似の関係にあるレイアウトを定義する複数のレイアウト定義ファイルを格納することができる。
【００２８】
図４はレイアウト定義ファイルの内容を示す模式図である。図５（Ａ）は合成画像の再生を説明するための模式図であり、図５（Ｂ）は合成画像を印刷により再生したはがきを示す平面図である。レイアウト定義ファイルは、印刷対象画像を印刷用紙に配置するための情報、印刷対象画像を回転して印刷用紙に配置するための情報、印刷対象画像を拡大又は縮小するための情報などをスクリプトにより定義する。具体的には例えば、印刷用紙の用紙サイズ（例えば「ハガキ」）、印刷用紙の向きを規定する情報（例えば「縦長」）、印刷対象画像を配置する枠（印刷対象画像枠）を規定する情報（例えば枠の左上座標「（ｘ１，ｙ１）」と枠の右下座標「（ｘ２，ｙ２）」）、その枠に印刷対象画像を配置するときの回転を規定する情報（例えば「反時計回りに９０度回転」）、印刷対象画像に合成する背景画像を表す背景画像ファイルを特定するための情報（例えば背景画像ファイルのファイル名としての「birthday.eff」）、背景画像を配置する枠を規定する情報（例えば枠の左上座標「（ｘ３，ｙ３）」と枠の右下座標「（ｘ４，ｙ４）」）、印刷対象画像ファイルに適用するαチャンネルを特定するための情報などが定義されている。レイアウト定義ファイルには一つの合成画像を再生するための背景画像ファイルを特定するための情報が定義されていることから、一つの合成画像を再生するための背景画像ファイルはレイアウト定義ファイルによって関連付けられていることになる。
【００２９】
次に、インデックスファイル２３、描画装置用サムネイル２４、カメラ用サムネイル２５、及びαチャンネル２６について説明する。尚、これらのファイルは必ずしも必要なわけではなく、不要であれば合成画像再生データを構成するファイルとする必要はない。
拡張子が「.usm」のファイル２３はインデックスファイルである。前述したように合成画像再生データ２０には用紙サイズ毎に複数のレイアウト定義ファイルを含めることができる。インデックスファイルにはそれら複数のレイアウト定義ファイルのインデックス情報が記述されている。具体的には例えばレイアウト定義ファイルの数、レイアウト定義ファイルのファイル名、各レイアウト定義ファイルが対応している印刷用紙のサイズなどが記述されている。合成画像を再生する場合、合成画像再生データの選択が行われ、それに加えて印刷用紙のサイズが指定される。インデックスファイルはこうした印刷の際に用いられるファイルであり、第一実施例の画像処理プログラムはインデックスファイルを解釈することにより指定されたサイズに対応するレイアウト定義ファイルを特定することができ、それによりサイズに応じたレイアウトで印刷を行うことができる。
【００３０】
拡張子が「.usf」のファイル２４は描画装置用サムネイルである。描画装置用サムネイルは、合成画像再生データ２０に基づいて再生される合成画像の概要を表す概要画像を表示部１５に表示するためのファイルである。概要画像は実際に合成した合成画像を縮小した画像である。
拡張子が「.ctf」のファイル２５はカメラ用サムネイルである。カメラ用サムネイルは、合成画像再生データ２０に基づいて再生される合成画像の概略をディジタルスチルカメラが備える表示装置に表示するためのサムネイル画像ファイルである。印刷対象画像を撮影する際に合成画像の概略を表示すると、ユーザは背景画像と合成する印刷対象画像の構図を決定することが容易になる。
【００３１】
拡張子が「.efa」のファイル２６は印刷対象画像に適用するαチャンネルである。αチャンネルは１チャンネルのＪＥＰＧ形式のファイルであり、その１チャンネルにαチャンネルデータが格納されている。αチャンネルファイル２６を用いると、印刷対象画像を楕円やハート型などの任意の形状で合成することができ、レイアウトの自由度を高めることができる。
【００３２】
拡張子が「.ust」のファイル２９は、複数のファイルを一つの合成画像再生データとして関連付ける関連付けファイルである。具体的には、印刷対象画像ファイル「0001.jpg」と関連付けファイル「0001.ust」とはそれらのファイル名によって互いに関連付けられている。関連付けファイル「0001.ust」には例えば「daen_0.usm」というファイル名が記述されている。すなわち、関連付けファイル「0001.ust」とインデックスファイル「daen_0.usm」とは、関連付けファイルに記述されたファイル名によって関連付けられる。インデックスファイル「daen_0.usm」と複数のレイアウト定義ファイルとは、インデックスファイルに記述されたレイアウト定義ファイルのファイル名によって関連付けられる。これにより全ての部品画像ファイルが関連付けられることになる。また、αチャンネルファイル「alpha.efa」、描画装置用サムネイル「Thum.usf」及びカメラ用サムネイル「daen_0.ctf」は、インデックスファイル「daen_0.usm」と同名のフォルダ「daen_0」に格納されることでインデックスファイルに関連付けられている。このようにして複数のファイルが一つの合成画像再生データとして関連付けられている。尚、本実施例では部品画像データとしての印刷対象画像ファイル「0001.jpg」については、関連付けファイル「0001.ust」などを介して部品画像データとしての背景画像ファイルに関連付けているが、印刷対象画像ファイルを特定する情報をレイアウト定義ファイルに定義することにより関連付けるようにしてもよい。その場合は、関連付けファイルは不要となる。
【００３３】
次に、画像処理プログラムについて説明する。
図１は、画像処理プログラムにより表示される画面を示す模式図である。
モード選択メニュー３１は、合成画像再生データを選択可能な対象（以下「選択対象」という。）とする画像選択モード又は合成画像再生データを構成している部品画像ファイルを選択対象とする画像選択モードの選択を受け付けるための画面である。モード選択メニュー３１で「合成画像」を指定すると第三の画像選択モードが選択されて合成画像選択画面３２が表示され、「部品画像」を指定すると第四の画像選択モードが選択されて部品画像選択画面３３が表示される。合成画像選択画面３２には合成画像特定情報が表示され合成画像再生データのみを選択できる。また、部品画像選択画面３３には部品画像特定情報が表示されて部品画像ファイルのみを選択できる。従って第三の画像選択モードと第四の画像選択モードとでは選択可能な対象が異なっている。
【００３４】
合成画像選択画面３２は、合成画像再生データの選択を受け付けるための画面である。合成画像選択画面３２には外部記憶部１６の所定のフォルダに直属又は従属して記憶されている全ての合成画像再生データについて、その合成画像再生データを特定するための合成画像特定情報が選択対象として表示される。第一実施例では合成画像特定情報として合成画像再生データに関連付けられている描画装置用サムネイル２４が表すサムネイル画像（以下「概要画像」という）３４が一覧表示される。概要画像３４を表示するとユーザが合成画像の概要を把握することができ、合成画像再生データの選択が容易になる。概要画像３４はその概要画像３４を表す描画装置用サムネイル２４が構成している合成画像再生データを一意に特定可能に表示されるものとする。例えば表示されている各概要画像３４には関連付けファイルのファイル名が対応付けられているものとする。これにより概要画像３４が選択されたとき選択された概要画像３４から合成画像再生データを一意に特定することができる。尚、合成画像再生データが描画装置用サムネイルを格納していない場合は関連付けファイルのファイル名を合成画像特定情報として一覧表示するようにしてもよい。ユーザは概要画像３４にマウスカーソルを合わせてダブルクリックすることにより合成画像特定情報を選択することができる。合成画像特定情報を選択すると選択した合成画像特定情報で特定される合成画像再生データに基づいて合成画像が生成され、生成された合成画像はプリンタ２で印刷されるか又は表示部１５に概要画像より高解像度で表示される。
【００３５】
部品画像選択画面３３は、部品画像ファイルの選択と、選択された部品画像ファイルに対する操作の指定とを受け付けるための画面である。部品画像選択画面３３には外部記憶部１６の所定のフォルダに直属又は従属して記憶されている部品画像ファイルであってそれぞれ特定の合成画像再生データを構成している部品画像ファイル全てについて、その部品画像ファイルを特定するための部品画像特定情報が選択対象として表示される。第一実施例では部品画像特定情報として部品画像ファイルが表す部品画像が縮小されて一覧表示される。図中の概要画像３５は縮小して表示された部品画像を示している。概要画像３５を表示するとユーザが部品画像の概要を把握することができ、部品画像ファイルの選択が容易になる。概要画像３５は概要画像３４と同様に部品画像ファイルを一意に特定可能に表示されるものとする。尚、ファイル名のみで部品画像の概要を把握できるような場合は部品画像ファイルのファイル名を一覧表示するようにしてもよい。図示するように部品画像選択画面３３には部品画像ファイルが表す概要画像３５のみが表示され、レイアウト定義ファイルやインデックスファイルなどのファイルを選択するための情報は表示されない。このため第一実施例の画像処理プログラムによると、部品画像ファイルだけを選択することが容易になる。ユーザは概要画像３４にマウスカーソルを合わせてマウスの右ボタンをクリックすることにより部品画像特定情報を選択することができる。右ボタンをクリックするとポップアップメニュー３６が表示され、ユーザは表示されたポップアップメニュー３６で、［コピー］、［ワークメモリに記憶］、［部品画像の表示］などの操作項目を選択することにより選択した概要画像３５で特定される部品画像ファイルに対して特定の操作を指定することができる。概要画像をマウスでドラッグアンドドロップすることによりワークメモリ１３を介して部品画像ファイルを別のプログラムに出力することも可能である。
【００３６】
図６は、画像処理プログラムのデータフロー図である。図示するように画像処理プログラムは、モードの選択プロセス４１、合成画像の選択プロセス４２、部品画像の操作プロセス４３、合成画像の再生プロセス４４をＰＣ１に実行させる。
モードの選択プロセス４１は、モード選択メニュー３１を表示して画像選択モードの指定を受け付けるプロセスである。モードの選択プロセス４１は「合成画像」が指定されると第三の画像選択モードを選択し、合成画像の選択プロセス４２に実行を指示する。「部品画像」が指定されると第四の画像選択モードを選択し、部品画像の操作プロセス４３に実行を指示する。
【００３７】
合成画像の選択プロセス４２は、合成画像再生データの選択を受け付けるプロセスである。合成画像の選択プロセス４２は実行が指示されると外部記憶部１６の所定のフォルダに直属又は従属して記憶されている全ての合成画像再生データから全ての描画装置用サムネイルを読み込んで合成画像選択画面３２を表示する。合成画像の選択プロセス４２は概要画像３４がダブルクリックされることで当該概要画像３４の選択を受け付け、当該概要画像３４で特定される関連付けファイルのファイル名を合成画像の再生プロセス４４に出力する。
【００３８】
部品画像の操作プロセス４３は、部品画像ファイルの選択を受け付ける処理と、選択された部品画像ファイルに対する操作の指定を受け付け、選択された部品画像ファイルに対して指定された操作を実行する処理とを行うプロセスである。部品画像の操作プロセス４３は実行が指示されると外部記憶部１６の所定のフォルダに直属又は従属して記憶されている全ての合成画像再生データについて部品画像ファイルを読み込んで部品画像選択画面３３を表示する。概要画像が右クリックされると当該概要画像により特定される部品画像ファイルを選択された部品画像ファイルとして受け付け、ポップアップメニュー３６を表示する。表示したポップアップメニュー３６で例えば［コピー］が選択されると、部品画像の操作プロセス４３はファイル名や格納するフォルダを指定するための図示しないダイアログボックスを表示した後、選択された部品画像ファイルのコピーを指定されたフォルダに指定されたファイル名で格納する。［ワークメモリに記憶］が選択された場合はワークメモリ１３上の領域であって複数のプログラムで共有される領域、所謂クリップボードに当該部品画像ファイルを記憶させ、また、［部品画像の表示］が選択された場合は当該部品画像ファイルが表す部品画像を概要画像より高解像度で表示部１５に表示させる。
【００３９】
合成画像の再生プロセス４４は、合成画像再生データに基づいて合成画像を再生するプロセスである。合成画像の再生プロセス４４は、合成画像の選択プロセス４２から関連付けファイルのファイル名が出力されると、印刷用紙のサイズを指定するための図示しないダイアログボックスを表示する。印刷用紙のサイズが指定されると、合成画像の再生プロセス４４は出力されたファイル名で特定される関連付けファイルで特定される合成画像再生データを構成している部品画像ファイルが表す部品画像を、指定された印刷用紙のサイズで特定されるレイアウト定義ファイルに基づいて合成して合成画像を作成する。次に、作成した合成画像に基づいて印刷データを生成し、プリンタ２に出力して印刷させる。これにより合成画像を再生する。尚、作成した合成画像を表示部１５に表示することにより再生してもよい。その場合はプリンタ２は不要である。
【００４０】
図７は、画像処理プログラムの処理の流れを示すフローチャートである。
Ｓ１０５では、表示部１５にモード選択メニュー３１を表示し、合成画像再生データを選択するか又は合成画像再生データを構成している部品画像ファイルを選択するかの選択を受け付ける。ユーザは合成画像を印刷したい場合は［合成画像］を選択し、合成画像の印刷は行わず部品画像ファイルの操作のみを行いたい場合は［部品画像］を選択する。
【００４１】
Ｓ１１０では、どちらが選択されたかを判定し、［合成画像］が選択された場合はＳ１１５に進み、［部品画像］が選択されたときはＳ１３０に進む。
Ｓ１１５では、合成画像再生データの選択を受け付ける。
Ｓ１２０では、印刷用紙のサイズの指定を受け付ける。
Ｓ１２５では、選択された合成画像再生データ、及び指定された印刷用紙のサイズに基づいて合成画像を再生する。
【００４２】
Ｓ１３０では、部品画像ファイルの選択を受け付ける。
Ｓ１３５では、選択された部品画像ファイルに対する操作の指定を受け付け、選択された部品画像ファイルに対して指定された操作を実行する。
以上説明した本発明の第一実施例に係るＰＣ１によると、ユーザは合成画像再生データを選択対象とする第三の画像選択モードと、合成画像再生データを構成している部品画像データを選択対象とする第四の画像選択モードとを選択できる。このため、ユーザは合成画像再生データのみでなく合成画像再生データを構成している部品画像データも処理の対象として選択できる。例えばユーザは合成画像選択画面３２に表示された合成画像の概要画像を見てその合成画像を構成している部品画像を別の用途に流用したいと考えたとする。この場合、ＰＣ１では第四の画像選択モードを選択することで、汎用のファイル操作プログラムを別途起動することなくその部品画像データを個別に操作できる。このため合成画像再生データを構成している部品画像データを容易に流用できる。また、部品画像選択画面３３にはそれぞれが特定の合成画像再生データに関連付けられている部品画像ファイルが全て表示されるため、ユーザはフォルダを移動して検索を繰り返す場合に比べ、検索の手間を低減できる。更に、部品画像選択画面３３には合成画像を構成している部品画像ファイルについての部品画像特定情報しか表示されず、他の関係のないファイルについての情報は表示されない。従って、表示された中から目的の部品画像ファイルを容易に見つけだすことができる。このようにＰＣ１によると、部品画像データを選択対象とする第四の画像選択モードを選択できるため、ユーザは第四の画像選択モードを選択することにより、合成画像再生データを構成している部品画像データの中から目的の部品画像データを容易に選択できる。また、選択した部品画像データに指定された操作を実行できる。このため、合成画像再生データを構成している部品画像データを容易に流用できる。
【００４３】
また、第一実施例に係るＰＣ１によると、複数の合成画像再生ファイルから部品画像ファイルが読み込まれて部品画像選択画面３３に一覧表示されるため、ユーザは部品画像ファイルを選択する際に合成画像再生ファイルを選択する必要がなく、部品画像ファイルを選択する操作が簡素化される。
【００４４】
（第二実施例）
第二実施例は、一つの合成画像を再生するための一つ以上の部品画像ファイルが一つのファイルに格納されている、すなわちパッケージ化されている場合の例である。
図８は、一つの合成画像を再生するための一つ以上の部品画像ファイルを一つのファイル（合成画像再生ファイル）にパッケージ化した様子を示す模式図である。図中の拡張子が「.fdp」のファイル２８が合成画像再生ファイルである。合成画像再生ファイル２８には部品画像ファイルとしての背景画像ファイル２１、部品画像ファイルとしての印刷対象画像ファイル２７、関連付けファイル２９、レイアウト定義ファイル２２ａ、２２ｂ及び２２ｃ、並びにインデックスファイル２３、描画装置用サムネイル２４、カメラ用サムネイル２５、及びαチャンネル２６が格納されている。
【００４５】
第二実施例の合成画像選択画面３２では、各概要画像３４には合成画像再生ファイルのファイル名が対応付けられているものとする。これにより概要画像３４が選択されたときその概要画像３４を表す描画装置用サムネイルが格納されている合成画像再生ファイルを一意に特定することができる。尚、合成画像再生ファイルが描画装置用サムネイルを格納していない場合は合成画像再生ファイルのファイル名を合成画像特定情報として一覧表示するようにしてもよい。
【００４６】
第二実施例の合成画像の選択プロセス４２は、合成画像再生ファイルの選択を受け付けるプロセスである。合成画像の選択プロセス４２は実行が指示されると外部記憶部１６の所定のフォルダに直属又は従属して記憶されている全ての合成画像再生ファイルから描画装置用サムネイルを読み込んで合成画像選択画面３２を表示する。概要画像３４がダブルクリックされることで当該概要画像３４の選択を受け付け、当該概要画像３４で特定される合成画像再生ファイルのファイル名を合成画像の再生プロセス４４に出力する。
【００４７】
以上説明した本発明の第二実施例に係るＰＣ１によると、一つの合成画像を再生するための一つ以上の部品画像ファイルが一つのファイルに格納されている。このため、一つ以上の部品画像ファイルを合成画像再生ファイルに含めておくことができ、部品画像ファイルの個別の操作を可能にしつつ部品画像ファイルの可搬性を向上できる。
【００４８】
（第三実施例）
第三実施例は、第四の画像選択モードにおいて、第三の画像選択モードで選択された合成画像再生データを構成している部品画像データを選択対象とする場合の例である。
図９は、第三実施例の画像処理プログラムにより表示される画面を示す模式図である。第三実施例では、画像処理プログラムの実行が開始されると始めにＰＣ１により第三の画像選択モードが選択されて合成画像選択画面５１が表示される。合成画像選択画面５１では、概要画像３４を右クリックすると［部品選択］という選択項目がポップアップメニュー５３として表示される。ユーザが［部品選択］を選択するとＰＣ１は第四の画像選択モードを選択し、部品画像選択画面５２を表示する。なお、例えばユーザが概要画像３４をダブルクリックすることにより第四の画像選択モードを選択するようにしてもよい。第三実施例の部品画像選択画面５２には、合成画像選択画面５１で右クリックされた概要画像３４で特定される合成画像再生データを構成している部品画像ファイルが表す部品画像の概要画像のみが表示される。
【００４９】
以上説明した第三実施例に係るＰＣ１によると、始めに合成画像再生データを選択し、次に当該選択した合成画像再生データを構成している部品画像データを選択するという流れである。すなわち、大きな単位から小さな単位に階層的に選択が進むためユーザにとって操作が判り易い。
また、第三実施例のＰＣ１によると、部品画像選択画面５２の表示の際に、選択された合成画像再生データを構成している部品画像ファイルだけを読み込むため、部品画像ファイルの読み込みに要する時間を短縮できる。
【００５０】
（第四実施例）
第四実施例は、所定の属性を有する部品画像データを選択対象とする第一の画像選択モード、又は第一の画像選択モードで選択される部品画像データとは異なる属性を有する部品画像データを選択対象とする第二の画像選択モードのいずれかの画像選択モードをユーザが指定する場合の例である。ここでは、部品画像データの属性としてデータ形式を例に説明する。第一実施例で説明したように部品画像データには拡張子が［.jpg」である印刷対象画像データと拡張子が「.eff」である背景画像データとがあり、それらはデータ形式が異なっている。第四実施例の第一の画像選択モードでは印刷対象画像データを選択し、第二の画像選択モードでは背景画像データを選択する。
【００５１】
図１０は、第四実施例の画像処理プログラムにより表示される画面を示す模式図である。画像処理プログラムの実行が開始されると始めに第一の画像選択モード又は第二の画像選択モードを指定する画面６１が表示される。「印刷対象画像」を指定すると第一の画像選択モードが選択され、第一の部品画像選択画面６２に図示するように拡張子が「.jpg」の部品画像データ、すなわち印刷対象画像データが表す画像の概要画像６４が選択対象として一覧表示される。「背景画像」を指定すると第二の画像選択モードが選択され、第二の部品画像選択画面６３に図示するように拡張子が「.eff」の部品画像データ、すなわち背景画像データが表す画像の概要画像６５が選択対象として一覧表示される。第一の部品画像選択画面６２には印刷対象画像データの部品画像特定情報が表示され印刷対象画像データのみを選択できる。また、第二の部品画像選択画面６３には背景画像データの部品画像特定情報が表示されて背景画像データのみを選択できる。従って第一の画像選択モードと第二の画像選択モードとでは選択可能な対象が異なっている。
【００５２】
以上説明した第四実施例に係るＰＣ１によると、第一の画像選択モードを選択すると第一の部品画像選択画面６２には印刷対象画像データ以外の部品画像データは表示されない。すなわち、印刷対象画像データのみが選択可能な対象となる。印刷対象画像データを選択する場合、背景画像データも併せて表示されると印刷対象画像データと背景画像データとが混ざってしまいどれが印刷対象画像データでどれが背景画像データであるか判らなくなり印刷対象画像データの選択が困難である。印刷対象画像データのみを表示するようにすると、印刷対象画像データ以外の部品画像データが表示されなくなるため印刷対象画像データの選択が容易になる。第二の画像選択モードについても同様である。
【００５３】
なお、第四実施例では部品画像データの属性としてデータ形式を例に説明したが、属性はデータ形式以外であってもよい。例えば、レイアウト定義ファイルにおける扱いに応じて部品画像データの属性を決定してもよい。例えばレイアウト定義ファイルで部品画像データが背景画像と部品画像データとに区別されているとすると、背景画像であるか前景画像であるかを部品画像データの属性としてもよい。何を部品画像の属性とするかは適宜選択可能な設計事項である。
【００５４】
（第五実施例）
第五実施例は、一つの部品画像データが複数の部品画像データで構成されている場合の例である。第五実施例では第三の画像選択モードで合成画像再生データを選択し、第四の画像選択モードで複数の部品画像データで構成される部品画像データを選択する。
【００５５】
図１１は、複数の部品画像データで構成される部品画像データを示す模式図である。一つの部品画像データを構成している複数の部品画像データとは、具体的には第一実施例でいう合成画像再生データを構成している部品画像データ７１及び７２のうち印刷対象画像データ７２を除いた残りの複数の部品画像データ７１、すなわち複数の背景画像データ７１のことをいう。以後の説明ではそれら複数の背景画像データ７１のことをフレーム画像データというものとする。図中の画像７８はフレーム画像データに基づいて生成されたフレーム画像を示している。
【００５６】
図１２は、第五実施例の画像処理プログラムにより表示される画面を示す模式図である。画像処理プログラムの実行が開始されると始めに第三の画像選択モード又は第四の画像選択モードを指定する画面７４が表示される。「合成画像」を指定すると第三の画像選択モードが選択され、合成画像選択画面７５に図示するように合成画像再生データに基づいて生成される合成画像の概要画像７７が選択対象として一覧表示される。「部品画像」を指定すると第四の画像選択モードが選択され、部品画像選択画面７６に図示するようにフレーム画像データに基づいて生成されるフレーム画像の概要画像７８が選択対象として一覧表示される。
【００５７】
以上説明した第五実施例に係るＰＣ１によると、第四の画像選択モードで複数の背景画像データをフレーム画像データとして一体に扱うことができる。フレーム画像データは特定の印刷対象画像データに合成されることを意図して作成されるものではなく、不特定の印刷対象画像データに合成されることを意図して作成されるものである。このためフレーム画像データを一つの選択対象として扱えるようにすると、フレーム画像データをコピーして別の印刷対象画像データと合成することが可能になり、フレーム画像データをより広く活用することができる。例えば合成画像再生データを配布されたとき、第四の画像選択モードで当該合成画像再生データを構成しているフレーム画像データを選択してコピーすることにより、フレーム画像データを別の印刷対象画像データとの合成に流用できる。
【００５８】
（第六実施例）
第六実施例は、フレーム画像データを一つの合成画像再生データとして扱う場合の例である。第五実施例で説明したようにフレーム画像データは背景画像データが関連付けられて構成されたものであり、背景画像データが複数存在する場合はフレーム画像データも一つの合成画像再生データとみなすことができる。ただし、フレーム画像データには印刷対象画像データが関連付けられていないため、フレーム画像データに基づいて合成画像を再生した場合は印刷対象画像が合成されるべき領域に画像が何も表示されないことになる。
【００５９】
図１３は、第六実施例の画像処理プログラムにより表示される画面を示す模式図である。画像処理プログラムの実行が開始されると始めに第三の画像選択モード又は第四の画像選択モードを指定する画面８１が表示される。「合成画像」を指定すると第三の画像選択モードが選択され、合成画像選択画面８２に図示するようにフレーム画像データに基づいて生成されたフレーム画像の概要画像８４が選択対象として表示される。「部品画像」を指定すると第四の画像選択モードが選択され、部品画像選択画面８３に図示するように背景画像データが表す背景画像の概要画像８５が選択対象として表示される。
【００６０】
以上説明した第六実施例に係るＰＣ１によると、第三の画像選択モードでフレーム画像データを選択できるため、ユーザは印刷対象画像データと合成される前のフレーム画像データだけを表示したり印刷したりする処理を実行できる。また、第四の画像選択モードではフレーム画像データを構成している背景画像データを選択できるため、例えばフレーム画像データを構成している背景画像データを別の用途に流用することができる。
【００６１】
（第七実施例）
第七実施例は、第三の画像選択モードでフレーム画像データを合成画像再生データとして選択し、第四の画像選択モードで印刷対象画像データを部品画像データとして選択する場合の例である。
図１４は、第七実施例の画像処理プログラムにより表示される画面を示す模式図である。画像処理プログラムの実行が開始されると始めに第三の画像選択モード又は第四の画像選択モードを指定する画面９１が表示される。「合成画像」を指定すると第三の画像選択モードが選択され、合成画像選択画面９２に図示するようにフレーム画像データに基づいて生成されるフレーム画像の概要画像９４が選択対象として表示される。「部品画像」を指定すると第四の画像選択モードが選択され、部品画像選択画面９３に図示するように印刷対象画像データが表す画像の概要画像９５が選択対象として表示される。第三の画像選択モードでフレーム画像の概要画像９４を選択すると、対応するフレーム画像データを特定するための情報をワークメモリ１３に記憶する処理が実行される。第四の画像選択モードで印刷対象画像の概要画像９５を選択すると、ワークメモリ１３に記憶しておいた情報で特定されるフレーム画像データと選択した概要画像９５に対応する印刷対象画像データとを合成して再生する処理が実行される。
【００６２】
以上説明した第七実施例に係るＰＣ１によると、フレーム画像データの流用と印刷対象画像データの流用とを容易に行うことができる。なお、第七実施例の場合も前述した実施例と同様に選択された概要画像９４や概要画像９５に対してユーザが指定したコピーなどの操作を実行するようにしてもよい。
なお、上述した実施例では第一の画像選択モード又は第二の画像選択モードのいずれかを選択する場合と、第三の画像選択モード又は第四の画像選択モードのいずれかを選択する場合とについて説明したが、画像選択モードは３つ以上あってもよい。例えば、合成画像再生データを選択対象とするモード、所定の属性の部品画像データを選択対象とするモード、別の属性の部品画像データを選択対象とするモードのいずれかを選択できるようにしてもよい。
【図面の簡単な説明】
【００６３】
【図１】本発明の第一実施例に係る画面の模式図。
【図２】本発明の第一実施例に係るブロック図。
【図３】本発明の第一実施例に係る合成画像再生データの模式図。
【図４】本発明の第一実施例に係るファイルの模式図。
【図５】（Ａ）は本発明の第一実施例に係る合成画像の再生を示す模式図、（Ｂ）は合成画像の模式図。
【図６】本発明の第一実施例に係るデータフロー図。
【図７】本発明の第一実施例に係るフローチャート。
【図８】本発明の第二実施例に係る合成画像再生データの模式図。
【図９】本発明の第三実施例に係る画面の模式図。
【図１０】本発明の第四実施例に係る画面を示す模式図。
【図１１】本発明の第五実施例に係る部品画像データの模式図。
【図１２】本発明の第五実施例に係る画面を示す模式図。
【図１３】本発明の第六実施例に係る画面を示す模式図。
【図１４】本発明の第七実施例に係る画面を示す模式図。
【符号の説明】
【００６４】
１  パーソナルコンピュータ（画像処理装置）、２  プリンタ（画像処理装置）、１１  ＣＰＵ（モード選択手段、画像選択手段、処理手段）、１４  操作部（モード選択手段、画像選択手段、処理手段）、１５  表示部（モード選択手段、画像選択手段、処理手段）１６  外部記憶部（記憶手段）、２０  合成画像再生データ、２１  背景画像ファイル（部品画像データ）、２７  印刷対象画像ファイル（部品画像データ）、２８  合成画像再生ファイル（合成画像再生データ）
【図１】
2005039785.tif 000003
【図２】
2005039785.tif 000004
【図３】
2005039785.tif 000005
【図４】
2005039785.tif 000006
【図５】
2005039785.tif 000007
【図６】
2005039785.tif 000008
【図７】
2005039785.tif 000009
【図８】
2005039785.tif 000010
【図９】
2005039785.tif 000011
【図１０】
2005039785.tif 000012
【図１１】
2005039785.tif 000013
【図１２】
2005039785.tif 000014
【図１３】
2005039785.tif 000015
【図１４】
2005039785.tif 000016